(57)【要約】【課題】  チラツキを防止して、種々のワット値に適用できる蛍光灯を備えた学習机を提供する。【解決手段】  学習机の蛍光灯を直流回路により点灯する。蛍光灯を点灯する直流回路は、ヒータ加熱回路と、設定値に応じて直流電圧を発生する定電圧回路２９と、定電圧回路２９の出力側に接続されたチョークコイル５９と、起動時にチョークコイル５９の出力を短絡可能とする短絡スイッチ２３とを有している。チョークコイル５９の出力端を蛍光灯の放電管の両ヒータの接続端６３，６５とすると共に、定電圧回路２９の設定値を使用する蛍光灯のワット値に応じて設定できるようにする。【選択図】  図２
2007287499.tif 000002
【特許請求の範囲】
【請求項１】
直流回路により点灯される蛍光灯を備えた学習机。
【請求項２】
前記直流回路は、
ヒータ加熱回路と、設定値に応じて直流電圧を発生する定電圧回路と、前記定電圧回路の出力側に接続されたチョークコイルと、起動時に前記チョークコイルの出力を短絡可能とする短絡スイッチとを有しており、
前記チョークコイルの出力端を前記蛍光灯の放電管の両ヒータの接続端とすると共に、前記定電圧回路の設定値を前記蛍光灯のワット値に応じて設定できるようにしたことを特徴とする請求項１に記載の蛍光灯を備えた学習机。
【請求項３】
前記チョークコイル及び前記短絡スイッチを複数個接続したことを特徴とする請求項２に記載の蛍光灯を備えた学習机。
【請求項４】
前記直流回路は、
ヒータ加熱回路と、設定値に応じた直流電圧を発生する定電圧回路と、該定電圧回路の出力側に接続されたチョークコイルと方向性素子の直列回路と、起動時に方向性素子またはコンデンサを介して高圧パルス列を印加する高圧パルス列発生回路とを有し、前記直列回路の出力端を蛍光管等の放電管の両ヒータの接続端とすると共に、前記定電圧回路の設定値を前記蛍光灯のワット値に応じて設定できるようにしたことを特徴とする請求項１に記載の蛍光灯を備えた学習机。
【請求項５】
前記チョークコイルと方向性素子の直列回路及び高圧パルス列発生回路を複数個接続したことを特徴とする請求項４に記載の蛍光灯を備えた学習机。
【発明の詳細な説明】
【技術分野】
【０００１】
本発明は、蛍光灯を備えた学習机に関するものである。
【背景技術】
【０００２】
特開平８−６９７０８号公報等に示されるような学習机に取付けられる蛍光灯は、交流電源を用いている。また、近年では、インバータ式の蛍光灯が用いられている。しかしながら、インバータ式を用いた蛍光灯でも、光量にチラツキが生じる。このようなチラツキは、目によくなく、特に学習机を用いて学習する児童の目に対する影響は大きい。
【特許文献１】特開平８−６９７０８号公報
【発明の開示】
【発明が解決しようとする課題】
【０００３】
このようなチラツキの対策として、点灯時期をずらした複数の蛍光管を用いることも考えられるが、このような方法においても、交流電源の影響を受け、光量の変動を十分に避けることは難しかった。また、直流電源を用いれば、チラツキは生じないが、直流点灯を行って安定に点灯させるには、交流電源を用いる場合と異なり、チョークを使用することはできない。
【０００４】
本発明の目的は、チラツキを防止して、種々のワット値に適用できる蛍光灯を備えた学習机を提供することにある。
【課題を解決するための手段】
【０００５】
本発明の学習机の蛍光灯は、直流回路により点灯される。これにより、光量を安定にしてチラツキを防止できる。
【０００６】
直流回路は、ヒータ加熱回路と、設定値に応じて直流電圧を発生する定電圧回路と、定電圧回路の出力側に接続されたチョークコイルと、起動時にチョークコイルの出力を短絡可能とする短絡スイッチとを有しているものを採用できる。この場合、チョークコイルの出力端を蛍光灯の放電管の両ヒータの接続端とすると共に、定電圧回路の設定値を使用放電管のワット値に応じて設定できるようにすればよい。このようにすれば、市販の蛍光管を点灯できるため、明るい光源が得られる。また、定電圧回路を用い、放電管のワット値に応じて電圧値を設定できるため、点灯回路を交換することなく、ワット値の異なる蛍光灯を点灯でき、ワット値の変動に簡単に対応できる。
【０００７】
チョークコイル及び短絡スイッチを複数個接続すれば、複数の蛍光灯に対応できる。
【０００８】
直流回路は、ヒータ加熱回路と、設定値に応じた直流電圧を発生する定電圧回路と、該定電圧回路の出力側に接続されたチョークコイルと方向性素子の直列回路と、起動時に方向性素子またはコンデンサを介して高圧パルス列を印加する高圧パルス列発生回路とを有しているものを採用できる。この場合、直列回路の出力端を蛍光管等の放電管の両ヒータの接続端とすると共に、定電圧回路の設定値を使用放電管のワット値に応じて設定できるようにすればよい。
【０００９】
なお、ヒータ加熱回路は、起動後に、切断するようにしてもよいし、点灯後も継続して常時加熱をするようにしてもよい。
【００１０】
この場合においても、チョークコイルと方向性素子の直列回路及び高圧パルス列発生回路を複数個接続すれば、複数の蛍光灯に対応できる。
【発明の効果】
【００１１】
本発明によれば、光量を安定にしてチラツキを防止できる。また、市販の蛍光管を点灯できるため、明るい光源が得られる。また、定電圧回路を用い、放電管のワット値に応じて電圧値を設定できるため、点灯回路を交換することなく、ワット値の異なる蛍光灯を点灯でき、ワット値の変動に簡単に対応できる。
【発明を実施するための最良の形態】
【００１２】
以下、図面を参照して本発明の実施の形態について説明する。図１は、本発明の一実施の形態の蛍光灯を備えた学習机の斜視図である。図１に示すように、この学習机は、机本体１に本棚３が取付けられた構造を有している。机本体１は、天板５を有しており、天板５に本棚３が連結されている。本棚３は、壁部７に上棚９及び下棚１１が設けられた構造を有している。上棚９の下方には、天板５を照らす蛍光灯１３が取付けられている。
【００１３】
図２は、蛍光灯１３を点灯する直流回路の回路図である。図２に示すように、直流回路は、交流電源１５、スイッチ１７、ヒューズ１９、タイマー２１、接点２３、整流回路２５、平滑コンデンサ２７、定電圧回路２９、可変抵抗器３１、チョークコイル５９、ヒートトランス６１、蛍光管のヒータ接続端子６３，６５等を含んでいる。本回路では、電源スイッチ１７をオンにすると、整流回路２５の出力は平滑コンデンサ２７によって平滑にされる。そして、定電圧回路２９によって安定化された直流電圧が平滑コンデンサ５７を充電する。また、同時に、ヒータトランス６１により退化された電圧で蛍光管接続端子６３，６５に接続された蛍光管１３の２つのヒーターが加熱される。また、スイッチの投入によりタイマー２１が作動して、その接点２３を一定時間閉成する。例えば、一秒間ほど閉成する。タイマー２１は交流タイマ以外にも種々のタイマ回路や遅延回路を用いることができる。図３に示すように、コンデンサ４１とリレー４３との直列回路を整流回路２５の直流出力側に接続しても構わない。
【００１４】
接点２３が閉成することによ、チョークコイル５９の出力が短絡され、短絡電流によりチョークコイル５９には電磁エネルギが蓄積される。抵抗５５は、短絡電流の電流制限抵抗である。ヒータの加熱により、蛍光管内の水銀の蒸気圧を高められ、タイマ２１の設定時間の水銀の蒸気圧を高められ、タイマ２１の設定時間の経過による接点２３の開成によって、過度現象による高圧電圧が蛍光管のヒータ間に印加される。発生した高圧電圧により、ヒータを放電電極として、その間に放電を生じさせる。その放電によって、定電圧回路２９よりの直流電源による放電が生じ、蛍光灯が直流点灯される。
【００１５】
蛍光灯には、様々の定格がある。市販の蛍光管でも、定格電圧として１００ボルトのものでも、１０，１５，２０，３０，４０ワット等、種々のワット値のものがある。交流点灯では、チョークコイルを安定器として用いるのが普通であり、各ワット数に適応した安定器が選択される。直流点灯では、チョークコイルのインダクタンスは定常状態では働かないが、抵抗分が放電の安定に寄与する。定電圧回路を用いて直流電圧を安定化させると、より安定した放電が得られると共に、時間的にも均一な光量が得られるから、光量の長時間にわたる変動、及び短時間の変動の少ない光源を要求する画像処理に最適な光源になる。
【００１６】
定電圧回路を用いた場合、蛍光管のワット値により、適当な電圧範囲があることが分かった。蛍光管のワット数を変える場合、定電圧回路の電圧値を変えると、チョークコイルを変えなくても安定した直流放電が得られることも分かった。
【００１７】
したがって、蛍光管のワット値に適した電圧値に設定した定電圧回路を用いると各種の蛍光管に対して同一のチョークコイルを利用できる。しかも、定電圧回路の設定電圧を可変とし、それを蛍光管のワット値に応じて設定すれば、１つの点灯回路で各種のワット値の蛍光管を点灯させることができ、蛍光管を交換するだけで種々の光量に対応できる。
【００１８】
図１に示す可変抵抗器３９により定電圧回路の設定電圧を選択することができる。例えば、可変抵抗器３９を１０ワット、１５ワット、２０ワット、３０ワット、４０ワットの蛍光管に適するように定電圧回路の出力電圧を高くして高ワット値に適応できるように調整すればよい。
【００１９】
本例においては、チョークコイル５９、接点２３を複数用いることにより、複数の蛍光灯を点灯することができる。
【００２０】
図４は、本発明の他の実施の形態の蛍光灯を備えた学習机に用いる直流回路の回路図である。本例においては、コンデンサ及びトリガトランスよりなる高圧パルス列発生回路７０を起動回路として用いている。本例では、図１に示す部材と同じ部材には同じ符号を付し、説明を省略する。タイマ２１の作動による接点２３の一定時間後の閉成によって、高圧パルス列発生回路３０の一次側にコンデンサの充電電流による過渡電流が流れ、２次側に高圧パルス列が発生する。高圧パルス列は、端子６３，６５に接続された図示しない蛍光管のヒータ間に印加され、その半波によりヒータ間に間欠放電を生じさせる。その放電によって、定電圧回路２９よりの直流電流による放電が生じ、蛍光管が直流点灯できる。ダイオード７３は、高圧パルス列の一方の極性に対する直流電源側のインピーダンスを高くするものである。チョークコイル５９は抵抗で置換してもよいが、放電管として市販の蛍光管を用いる場合、その定格の安定器を利用してもよい。コンデンサ７１は、直流電源が高圧パルス列発生回路へ印加されるのを阻止するためのものであり、ダイオードを用いてもよい。
【００２１】
本例においても、チョークコイル５９とダイオード７３との直列回路、接点２３、高圧パルス列発生回路７０、コンデンサ７１、端子６５を複数用いることにより、定電圧回路部を共通にして、複数の放電管を点灯することができる。
【００２２】
これらの実施例において、ヒータの加熱をヒータトランスによる交流加熱としたが、直流で加熱する方が出力光量の変動はより少なくなる。
【００２３】
上記各例の蛍光灯を備えた学習机によれば、蛍光灯の光量を安定にしてチラツキを防止できる。また、市販の蛍光管を点灯できるため、明るい光源が得られる。また、定電圧回路を用い、放電管のワット値に応じて電圧値を設定できるため、点灯回路を交換することなく、ワット値の異なる蛍光灯を点灯でき、ワット値の変動に簡単に対応できる。
【００２４】
なお、上記例は、本棚に蛍光灯が取付けられた学習机の例を示したが、スタンドタイプの蛍光灯が取付けられた学習机にも本発明を適用できるのは勿論である。
【図面の簡単な説明】
【００２５】
【図１】本発明の一実施の形態の蛍光灯を用いる学習机の斜視図である。
【図２】図１に示す蛍光灯を点灯する直流回路の回路図である。
【図３】図１に示すタイマーの他の態様を説明するための図である。
【図４】本発明の他の実施の形態の学習机に用いる直流回路の回路図である。
【符号の説明】
【００２６】
１３  蛍光灯
１５  交流電源
１７  スイッチ
１９  ヒューズ
２１  タイマー
２３  接点
２５  整流回路
２７  平滑コンデンサ
２９  定電圧回路
３１  可変抵抗器
５９  チョークコイル
６１  ヒートトランス
６３，６５  ヒータ接続端子
【図１】
2007287499.tif 000003
【図２】
2007287499.tif 000004
【図３】
2007287499.tif 000005
【図４】
2007287499.tif 000006